(57)【要約】      （修正有）【課題】簡易に身に着けることができ、また、和服の裾割れが生じても素足が大きく露出することが防止され、しかも、非常に動き易く、更に、着用した際のシルエットが綺麗であり、上品でオシャレな和服の着こなしができる和服用下着を提供する。【解決手段】和服の内側に着用する和服用下着であって、筒状の本体１に、上端部から下端部まで上下方向のプリーツ２が全周に複数並設されて該本体１は径方向に伸縮可能に設けられ、また、本体１の上端部から下方所定位置までの部位を径小部としたものである。【選択図】図２
0003217895.tif 000002
【実用新案登録請求の範囲】
【請求項１】
和服の内側に着用する和服用下着であって、筒状の本体に、上端部から下端部まで上下方向のプリーツが全周に複数並設されて該本体は径方向に伸縮可能に設けられ、また、前記本体の上端部から下方所定位置までの部位を径小部としたことを特徴とする和服用下着。
【請求項２】
請求項１記載の和服用下着において、前記径小部の下端部は、着用時における臀部の上側に当接するように構成されていることを特徴とする和服用下着。
【請求項３】
請求項１，２いずれか１項に記載の和服用下着において、前記本体は、長方形の生地を筒状に形成したものであり、前記径小部は、その余の部位に比し、重ね代を多くして構成されるものであることを特徴とする和服用下着。
【請求項４】
請求項３記載の和服用下着において、前記重ね代を設けた部位の対向位置にして前記本体の正面には、正面指標部が設けられていることを特徴とする和服用下着。
【請求項５】
請求項１〜４いずれか１項に記載の和服用下着において、前記本体には柄が設けられていることを特徴とする和服用下着。
【請求項６】
請求項１〜５いずれか１項に記載の和服用下着において、前記本体には、身体に巻き付け固定する紐体が設けられていることを特徴とする和服用下着。
【考案の詳細な説明】
【技術分野】
【０００１】
本考案は、和服用下着に関するものである。
【背景技術】
【０００２】
近年、和文化に対する関心が高まる中、和服を気軽に着たいというニーズがあり、簡単に着付けのできる和服や帯など様々なアイデアが提案されている。
【０００３】
また、和服の着付けの際、汗取りや和服の汚れ防止を目的とした肌着（肌襦袢・裾よけ）を身に着けるが、この肌着に関しても、例えば実用新案登録第３０４８７４５号に開示されるような和服用下着（以下、従来例）が提案されている。
【０００４】
この従来例は、肌襦袢部と裾よけを一体にした構造、即ち、上半身から下半身までを包み込む前身頃と後身頃とからなり、この前身頃が左前身頃と右前身頃とを有する前開き構造に構成され、着用する際には、この左右の前身頃を正面で重ねあわせて紐体（腰紐・胸紐）で結んで固定するものであり、よって、簡易に身に着けることができる。
【先行技術文献】
【特許文献】
【０００５】
【特許文献１】実用新案登録第３０４８７４５号公報
【考案の概要】
【考案が解決しようとする課題】
【０００６】
ところで、和服を着た際の作法として、なるべく足（素足）を見せないのが良いとされているが、例えば自動車の乗り降り時や階段の昇降時に和服の裾割れが生じた際、従来例は重ね合せた部分（左前身頃及び右前身頃）が開いて素足が大きく露出してしまい、その点を気にしながらの動作となるため動きにくいという問題点がある。
【０００７】
また、近年、特に若者の間で足を長く見せるための工夫として厚底の草履を履く傾向があり（更に足袋の中に上げ底部材を入れる場合もある）、それだけ不安定となるため歩く際は転倒しないよう注意が必要となるが、この点、従来例は、前述したように素足が見えないように歩くことになって歩幅が制限されてしまい、よって、非常に歩きにくく転倒する危険性が高いという問題点もある。
【０００８】
本考案は、前述した問題点を解消する、従来にない作用効果を発揮する非常に実用的な和服用下着を提供する。
【課題を解決するための手段】
【０００９】
添付図面を参照して本考案の要旨を説明する。
【００１０】
和服50の内側に着用する和服用下着であって、筒状の本体１に、上端部から下端部まで上下方向のプリーツ２が全周に複数並設されて該本体１は径方向に伸縮可能に設けられ、また、前記本体１の上端部から下方所定位置までの部位を径小部３としたことを特徴とする和服用下着に係るものである。
【００１１】
また、請求項１記載の和服用下着において、前記径小部３の下端部は、着用時における臀部の上側に当接するように構成されていることを特徴とする和服用下着に係るものである。
【００１２】
また、請求項１，２いずれか１項に記載の和服用下着において、前記本体１は、長方形の生地１’を筒状に形成したものであり、前記径小部３は、その余の部位に比し、重ね代を多くして構成されるものであることを特徴とする和服用下着に係るものである。
【００１３】
また、請求項３記載の和服用下着において、前記重ね代を設けた部位の対向位置にして前記本体１の正面には、正面指標部４が設けられていることを特徴とする和服用下着に係るものである。
【００１４】
また、請求項１〜４いずれか１項に記載の和服用下着において、前記本体１には柄５が設けられていることを特徴とする和服用下着に係るものである。
【００１５】
また、請求項１〜５いずれか１項に記載の和服用下着において、前記本体１には、身体に巻き付け固定する紐体６が設けられていることを特徴とする和服用下着に係るものである。
【考案の効果】
【００１６】
本考案は上述のように構成したから、簡易に身に着けることができ、また、和服の裾割れが生じても素足が大きく露出することが防止され、しかも、非常に動き易く、例えば階段での歩行の安全性も確保され、更に、着用した際のシルエットが綺麗であり、上品でオシャレな和服の着こなしを提供できるなど、従来にない作用効果を発揮する非常に実用的な和服用下着となる。
【図面の簡単な説明】
【００１７】
【図１】本実施例の使用状態説明図である。
【図２】本実施例の使用状態説明図である。
【図３】本実施例の使用状態説明図である。
【図４】本実施例の製造工程説明図である。
【図５】本実施例の製造工程説明図である。
【図６】本実施例の製造工程説明図である。
【図７】本実施例の製造工程説明図である。
【図８】本実施例の製造工程説明図である。
【図９】本実施例の要部の説明図である。
【考案を実施するための形態】
【００１８】
好適と考える本考案の実施形態を図面に基づいて本考案の作用を示して簡単に説明する。
【００１９】
本考案は、筒状の本体１に身体を通して身に着ける。この際、本体１に設けられた径小部３が例えば着用時における臀部に当接することでずり落ちが防止される。
【００２０】
また、本体１は径方向に伸縮可能であり、身体にフィットするサイズとしても圧迫感なく身に着けることができて、本体１の下端部は下方側程細くなるシルエットを呈することになる。
【００２１】
従って、簡易に身に着けることができ、また、例えば自動車の乗降時や階段の昇降時において、和服50の裾割れが生じても素足が大きく露出することが防止され、しかも、非常に動き易く、歩行の安全性も確保され、更に、和服50の下から本体１が見えても綺麗なシルエットであるから体裁が悪くなることはなく、むしろ、本体１を見せるものと位置付けることで、和服50の裾を抵抗なく持ち上げることができ、足元の視認性が良好となる為、この点においても安全性が確保されるのは勿論、上品でオシャレな和服50の着こなしを提供することができる。
【００２２】
また、普段から和服50を着慣れない人に起きるトラブルとして、トイレでの用足しの際、和服50の裾を便器内の水に浸けてしまうというトラブルがあるが、本考案は、本体１の下端部を外側へめくり返して和服50の裾部や袖部を包み込んだ状態とすることで、和服50が邪魔にならず用を足すことができ、しかも、和服50の裾を便器内の水に浸けてしまうことも防止することができる。
【実施例】
【００２３】
本考案の具体的な実施例について図面に基づいて説明する。
【００２４】
本実施例は、和服50の内側に着用する和服用下着である。
【００２５】
具体的には、本体１は、図４，５に図示したように適宜な長方形の生地１’（縦１１２ｃｍ×横１５４ｃｍのポリエステル製生地）を左右端部同士を重合させた重ね代Ｐ１（約２ｃｍ）を設けて縫製して形成された筒状体であり、この本体１の端部から下端部まで上下方向のプリーツ２（折りひだ）が全周且つ等間隔に複数並設されて該本体１は径方向に伸縮可能に設けられている。
【００２６】
本実施例では、プリーツ２として約５ｍｍの高さで折り返した構成のプリーツ２を採用している。
【００２７】
また、本体１の上端部から下方所定位置までの部位を径小部３としており、径小部３の下端部（径大部７の上端部との境界）は、着用時における臀部の上側に当接するように構成されている。
【００２８】
本実施例では、図６，８に図示したように本体１の上端部から下方所定位置までの重ね代Ｐ２をその余の部位（下方部位）よりも多く（約１０ｃｍ）した状態で縫製することで幅Ｌ１の径小部３が設けられ、この径小部３の下方には該径小部３よりも幅の広い幅Ｌ２の径大部７が設けられている。
【００２９】
また、本実施例では、重ね代Ｐ２の下端部はＲ形状に形成（縫製）されている。
【００３０】
従って、本実施例を繰り返し身体に身に着けた際にこの部位に負担がかかり過ぎず、破損（ほつれ）が防止される。
【００３１】
本実施例では、縫製する際は生地１’の内側が表となる状態で縫製し、縫製した後に生地１’の外側が表となるように裏返して完成し、重ね代Ｐ２の下端部にはタックが形成される。
【００３２】
また、この重ね代Ｐ２を設けた部位の対向位置にして本体１の正面には、正面指標部４が設けられており、本実施例では、目印（生地）を縫製して設けている。尚、この正面指標部４はプリントでも良い。
【００３３】
従って、筒状の本体１の正面を間違えずに簡易に身に着けることができる。
【００３４】
また、本実施例は、プリーツ２の側面（折込内面）には柄５が設けられている。
【００３５】
従って、プリーツ２が開いた際、柄５が見えて良好な美観を呈することになる。
【００３６】
また、本体１には、身体に巻き付け固定する紐体６が設けられている。
【００３７】
従って、筒状の本体１に身体を通した後に紐体６で簡易に固定することができる。
【００３８】
本実施例は上述のように構成したから、正面指標部４を目印に筒状の本体１に身体を通して身に着ける。この際、本体１に設けられた径小部３が例えば身体の臀部の上側に当接することでずり落ちが防止される。
【００３９】
この状態で本体１の上部を外側に折り返して紐体６で結んで固定する。この際、本体１を適宜上下動させて該本体１の下縁の位置を微調整する。尚、この本体１の上部の折り返し部位には、和服を着つけた際の締付けに対する緩衝となる痛み止め用コットンなどを入れる。
【００４０】
また、本体１は径方向に伸縮可能であり、身体にフィットするサイズとしても圧迫感なく身に着けることができて、本体１の下端部は下方側程細くなるシルエットを呈することになる。ちなみに、和服用下着は、下端部が外方へ跳ね上げるのは和服50の前分かれを大きく起こし易く見た目が良くないとされ、身体に添った下方側程細くなるシルエットを呈することが良いとされるが、この点、本実施例は、前述したように身体にフィットする伸縮構造であるから、本体１の下端部における外方への跳ね上げが起きず、本体１の下端部は下方側程細くなるシルエットを呈することになる。
【００４１】
よって、本実施例によれば、簡易に身に着けることができ、また、例えば自動車の乗降時や階段の昇降時や強風に煽られた時において、和服50の裾割れが生じても素足が大きく露出することが防止され、しかも、伸縮するから非常に動き易い。
【００４２】
また、本実施例は、和服50の下から本体１が見えても綺麗なシルエットであるから体裁が悪くなることはなく、むしろ、本体１を見せるものと位置付けることで、和服50の裾を抵抗なく持ち上げることができ（図１に図示した褄部50ａを持ち上げる）、足元の視認性が良好となる為、この点においても安全性が確保されるのは勿論、優しく美しく上品でオシャレな和服の着こなしを提供することができる。
【００４３】
また、本実施例は、本体１の下端部を外側へめくり返して和服50の裾部や袖部を包み込んだ状態とすることで、和服50が邪魔にならず用を足すことができ、しかも、和服50の裾を便器内の水に浸けてしまうことも防止（和服50が汚れるのを防止）することができる。
【００４４】
また、本実施例は、伸縮して身体にフィットするため、シワやたるみが出ず違和感無く身に着けることができる。
【００４５】
また、本実施例は、ホックやカギやボタンやファスナーやゴムなどを使用せず、和服50に余計な負担がかからず、身体にも痛みが生じることが無い。
【００４６】
また、本実施例は、プリーツ２の存在により、身体との間に空気層ができて汗をかいてもサラッとしていて身体にまとわりつくことが無い。
【００４７】
尚、本考案は、本実施例に限られるものではなく、各構成要件の具体的構成は適宜設計し得るものである。
【符号の説明】
【００４８】
１  本体
１’  生地
２  プリーツ
３  径小部
４  正面指標部
５  柄
６  紐体
50  和服
【図１】
0003217895.tif 000003
【図２】
0003217895.tif 000004
【図３】
0003217895.tif 000005
【図４】
0003217895.tif 000006
【図５】
0003217895.tif 000007
【図６】
0003217895.tif 000008
【図７】
0003217895.tif 000009
【図８】
0003217895.tif 000010
【図９】
0003217895.tif 000011